(57)【要約】【課題】ある特定のトラック上に存在するデータに対してアクセスする命令が長時間連続的に発行された場合にも、定点浮上状態を回避し、寿命を損なうことなく、信頼性を向上させることが可能な補助記憶装置アクセス方法および補助記憶装置を提供する。【解決手段】複数のデータ記録領域１１ａ〜１１ｃの少なくとも１つにデータを記録すると共に、アクセス可能領域として設定し、タイマ手段４によって監視した設定時間経過後に、複写手段によってアクセス可能領域として設定したデータ記録領域１１ａのデータを他のデータ記録領域１１ｂに複写し、またデータアクセス制限手段１６によってこの複写した他のデータ記録領域１１ｂをアクセス可能領域として設定する。【選択図】図１
2006085818.tif 000002
【特許請求の範囲】
【請求項１】
外周から内周に向かって同心円状に複数分割されたデータ記録領域を有する円板状記録媒体と、この円板状記録媒体に対向して配置されてそのデータの読み書きを行なう磁気ヘッドとを備え、上記円板状記録媒体に上記磁気ヘッドからアクセスする補助記憶装置アクセス方法において、上記複数のデータ記録領域の少なくとも一つにデータを記録すると共に、これをアクセス可能領域として設定し、上記アクセス可能領域として設定した上記データ記録領域のデータを他の上記データ記録領域の少なくとも一つに複写し、上記アクセス可能領域の設定から任意の設定時間経過後に、この複写先の上記データ記録領域をアクセス可能領域として設定することを特徴とする補助記憶装置アクセス方法。
【請求項２】
外周から内周に向かって同心円状に複数分割されたデータ記録領域を有する円板状記録媒体と、この円板状記録媒体に対向して配置されてそのデータの読み書きを行なう磁気ヘッドとを備え、上記円板状記録媒体に上記磁気ヘッドからアクセスする補助記憶装置アクセス方法において、上記複数のデータ記録領域の少なくとも二つに同一のデータを各々記録すると共に、この二つの上記データ記録領域を各々アクセス可能領域として設定し、上記二つのデータ記録領域のうちの一つのデータを他のデータ記録領域の一つに複写し、上記アクセス可能領域の設定から任意の設定時間経過後に、この複写先の上記データ記録領域と、上記二つのデータ記録領域のうちの一つをアクセス可能領域として設定することを特徴とする補助記憶装置のアクセス方法。
【請求項３】
外周から内周に向かって同心円状に複数分割されたデータ記録領域を有する円板状記録媒体と、この円板状記録媒体に対向して配置されてそのデータの読み書きを行なう磁気ヘッドとを備えた補助記憶装置において、上記複数のデータ記録領域の少なくとも一つをアクセス可能領域として設定するデータアクセス制限手段と、任意の設定時間経過を検出するタイマ手段と、上記アクセス可能領域として設定した上記データ記録領域のデータを他の上記データ記録領域の少なくとも一つに複写する複写手段とを設け、上記データアクセス制限手段は、上記タイマ手段によって任意の設定時間経過を検出したとき複写先の上記データ記録領域をアクセス可能領域として設定するように構成したことを特徴とする補助記憶装置。
【請求項４】
外周から内周に向かって同心円状に複数分割されたデータ記録領域を有する円板状記録媒体と、この円板状記録媒体に対向して配置されてそのデータの読み書きを行なう磁気ヘッドとを備えた補助記憶装置において、上記複数のデータ記録領域の少なくとも二つをアクセス可能領域として設定するデータアクセス制限手段と、任意の設定時間経過を検出するタイマ手段と、上記アクセス可能領域として設定した上記二つのデータ記録領域の一つのデータを他の上記データ記録領域の少なくとも一つに複写する複写手段とを設け、上記データアクセス制限手段は、上記タイマ手段によって任意の設定時間経過を検出したとき複写先の上記データ記録領域と、上記アクセス可能領域として設定した上記二つのデータ記録領域のうちの一つとをアクセス可能領域として設定するように構成したことを特徴とする補助記憶装置。
【請求項５】
請求項３，４のいずれか一方に記載のものにおいて、上記複写手段は、上記タイマ手段によって任意の設定時間経過を検出したとき、上記アクセス可能領域として設定した上記データ記録領域のデータを他の上記データ記録領域に複写するように構成したことを特徴とする補助記憶装置。
【発明の詳細な説明】
【技術分野】
【０００１】
本発明は、コンピュータに用いられる磁気ディスク装置等の補助記憶装置アクセス方法および補助記憶装置に関する。
【背景技術】
【０００２】
磁気ディスク装置などの補助記憶装置は、長期間の連続使用により局所的な特性劣化が発生して、記憶装置としての信頼性を低下させることがある。例えば、図４に示すようにアクセスが集中したアドレスの位置するトラック（物理シリンダ）２１上に磁気ヘッド８が停止したままの状態、すなわち定点浮上状態を長時間継続した場合、媒体２２上の記録面を保護する保護膜２３がその上に浮遊している磁気ヘッド８の風圧によって押しのけられるようになり、その結果、磁気ヘッド８が媒体２３の表面を傷つけ易くなり、磁気ディスク装置の信頼性を著しく低下させる原因となっている。このような定点浮上状態に起因して生じる信頼性の低下を防止するために、上位装置からの命令がなく、かつ、所定の値より高温多湿の場合など所定の範囲外の環境条件の場合、命令とは無関係に磁気ヘッドをシークさせるようにして磁気ヘッドが特定のアドレス（物理シリンダ）上に長時間停止する定点浮上状態を回避するようにした磁気ディスク制御装置が知られている（例えば、特許文献１参照）。
【特許文献１】特開平１１−１７６０６８号公報
【発明の開示】
【発明が解決しようとする課題】
【０００３】
しかしながら、上述した磁気ディスク制御装置は、上位装置から媒体上の特定のアドレス（物理シリンダ）上に存在するデータに対してアクセスする命令が連続して発行されない間は問題ないが、特定のアドレス上に存在するデータに対してアクセスする命令が長時間連続的に発行された場合、Ｒ／Ｗヘッド（磁気ヘッドなど）をシークさせて定点浮上状態を回避することができなくなり、磁気ディスク装置などの補助記憶装置の寿命を著しく損なうこととなり、信頼性が低下してしまう。
【０００４】
本発明の目的は、ある特定のトラック上に存在するデータに対してアクセスする命令が長時間連続的に発行された場合にも、定点浮上状態を回避し、寿命を損なうことなく、信頼性を向上させることが可能な補助記憶装置アクセス方法および補助記憶装置を提供することにある。
【課題を解決するための手段】
【０００５】
本発明は上記目的を達成するために、外周から内周に向かって同心円状に複数分割されたデータ記録領域を有する円板状記録媒体と、この円板状記録媒体に対向して配置されてそのデータの読み書きを行なう磁気ヘッドとを備え、上記円板状記録媒体に上記磁気ヘッドからアクセスする補助記憶装置アクセス方法において、上記複数のデータ記録領域の少なくとも一つにデータを記録すると共に、これをアクセス可能領域として設定し、上記アクセス可能領域として設定した上記データ記録領域のデータを他の上記データ記録領域の少なくとも一つに複写し、上記アクセス可能領域の設定から任意の設定時間経過後に、この複写先の上記データ記録領域をアクセス可能領域として設定することを特徴とする。
【０００６】
また請求項２に記載の本発明は、外周から内周に向かって同心円状に複数分割されたデータ記録領域を有する円板状記録媒体と、この円板状記録媒体に対向して配置されてそのデータの読み書きを行なう磁気ヘッドとを備え、上記円板状記録媒体に上記磁気ヘッドからアクセスする補助記憶装置アクセス方法において、上記複数のデータ記録領域の少なくとも二つに同一のデータを各々記録すると共に、この二つの上記データ記録領域を各々アクセス可能領域として設定し、上記二つのデータ記録領域のうちの一つのデータを他のデータ記録領域の一つに複写し、上記アクセス可能領域の設定から任意の設定時間経過後に、この複写先の上記データ記録領域と、上記二つのデータ記録領域のうちの一つをアクセス可能領域として設定することを特徴とする。
【０００７】
さらに請求項３に記載の本発明は、外周から内周に向かって同心円状に複数分割されたデータ記録領域を有する円板状記録媒体と、この円板状記録媒体に対向して配置されてそのデータの読み書きを行なう磁気ヘッドとを備えた補助記憶装置において、上記複数のデータ記録領域の少なくとも一つをアクセス可能領域として設定するデータアクセス制限手段と、任意の設定時間経過を検出するタイマ手段と、上記アクセス可能領域として設定した上記データ記録領域のデータを他の上記データ記録領域の少なくとも一つに複写する複写手段とを設け、上記データアクセス制限手段は、上記タイマ手段によって任意の設定時間経過を検出したとき複写先の上記データ記録領域をアクセス可能領域として設定するように構成したことを特徴とする。
【０００８】
さらに請求項４に記載の本発明は、外周から内周に向かって同心円状に複数分割されたデータ記録領域を有する円板状記録媒体と、この円板状記録媒体に対向して配置されてそのデータの読み書きを行なう磁気ヘッドとを備えた補助記憶装置において、上記複数のデータ記録領域の少なくとも二つをアクセス可能領域として設定するデータアクセス制限手段と、任意の設定時間経過を検出するタイマ手段と、上記アクセス可能領域として設定した上記二つのデータ記録領域の一つのデータを他の上記データ記録領域の少なくとも一つに複写する複写手段とを設け、上記データアクセス制限手段は、上記タイマ手段によって任意の設定時間経過を検出したとき複写先の上記データ記録領域と、上記アクセス可能領域として設定した上記二つのデータ記録領域のうちの一つとをアクセス可能領域として設定するように構成したことを特徴とする。
【０００９】
さらに請求項５に記載の本発明は、請求項３，４のいずれか一方に記載のものにおいて、上記複写手段は、上記タイマ手段によって任意の設定時間経過を検出したとき、上記アクセス可能領域として設定した上記データ記録領域のデータを他の上記データ記録領域に複写するように構成したことを特徴とする。
【発明の効果】
【００１０】
本発明による補助記憶装置のアクセス方法によれば、アクセス可能領域として設定したデータ記録領域のデータを他のデータ記録領域に複写し、任意の設定時間経過後に、この複写した他のデータ記録領域をアクセス可能領域として設定するようにしたため、上位装置によって補助記憶装置の特定のアドレス上に存在するデータに対してアクセスする命令が連続して発行された場合でも、設定した時間が経過するとアクセス可能領域が変更することになり、定点浮上状態を回避することができ、磁気ディスク装置などの補助記憶装置の寿命延ばして信頼性を向上させることができる。
【００１１】
請求項２に記載の本発明による補助記憶装置のアクセス方法によれば、アクセス可能領域として設定したデータ記録領域のうちの一つのデータを他のデータ記録領域に複写し、任意の設定時間経過後に、この複写した他のデータ記録領域をアクセス可能領域として設定するようにしたため、複数のデータ記録領域の少なくとも二つに同一のデータを各々記録すると共に、この二つのデータ記録領域を各々アクセス可能領域として設定することができるようになり、上位装置によって補助記憶装置の特定のアドレス上に存在するデータに対してアクセスする命令が連続して発行された場合でも、設定した時間が経過するとアクセス可能領域が変更することになり、定点浮上状態を回避することができ、磁気ディスク装置などの補助記憶装置の寿命延ばして信頼性を向上させることができる。
【００１２】
また請求項３に記載の本発明による補助記憶装置によれば、アクセス可能領域として設定したデータ記録領域のデータを他のデータ記録領域に複写する複写手段と、任意の設定時間経過後に、この複写した他のデータ記録領域をアクセス可能領域として設定するデータアクセス制限手段を有しているため、上位装置によって補助記憶装置の特定のアドレス上に存在するデータに対してアクセスする命令が連続して発行された場合でも、設定した時間が経過するとアクセス可能領域が変更することになり、定点浮上状態を回避することができ、磁気ディスク装置などの補助記憶装置の寿命延ばして信頼性を向上させることができる。
【００１３】
さらに請求項４に記載の本発明による補助記憶装置によれば、複写手段によってアクセス可能領域として設定した二つのデータ記録領域の一つのデータを他のデータ記録領域の少なくとも一つに複写し、タイマ手段によって任意の設定時間経過を検出したときデータアクセス制限手段は、複写先の上記データ記録領域と、アクセス可能領域として設定した二つのデータ記録領域のうちの一つとをアクセス可能領域として設定することができるので、複数のデータ記録領域の少なくとも二つに同一のデータを各々記録すると共に、この二つのデータ記録領域を各々アクセス可能領域として設定することができるようになり、また設定した時間が経過するとアクセス可能領域が変更することになり、定点浮上状態を回避することができ、磁気ディスク装置などの補助記憶装置の寿命延ばして信頼性を向上させることができる。
【００１４】
さらに請求項５に記載の本発明による補助記憶装置によれば、タイマ手段によって任意の設定時間経過を検出したとき、アクセス可能領域として設定した上記データ記録領域のデータを他の上記データ記録領域に複写する複写手段としたため、上位装置によって補助記憶装置の特定のアドレス上に存在するデータに対してアクセスする命令が連続して発行された場合でも、設定した時間が経過すると、複写と共にアクセス可能領域が変更することになり、定点浮上状態を回避することができ、磁気ディスク装置などの補助記憶装置の寿命延ばして信頼性を向上させることができる。
【発明を実施するための最良の形態】
【００１５】
以下、本発明の実施の形態を図面に基づいて説明する。
図１は、本発明の一実施の形態による補助記憶装置として磁気ディスク装置を示すブロック構成図である。
同図に示した磁気ディスク装置１７は、コンピュータ等の補助記憶装置として用いられており、ホストコントローラ１に接続されるインタフェース制御回路２と、ＭＰＵ３と、このＭＰＵ３から動作開始命令を受け取ると動作を開始し任意の設定時間が経過するとＭＰＵ３に対して設定時間経過信号を通知するタイマ手段４と、ＲＡＭ５と、ＭＰＵ３の制御に基づいて駆動電流により後述するボイスコイルモータ７を駆動するボイスコイルモータ駆動回路６と、キャリッジを回転させることにより磁気ディスク１１の外周から内周までの範囲で、円弧を描く軌跡で磁気ヘッド８を目標位置まで移動させるボイスコイルモータ７と、極めて狭い幅のギャップを有するヘッドコアとこのヘッドコアに巻回されたコイルとから構成されて、アーム状のキャリッジの先端部に支持されている磁気ヘッド８と、ＭＰＵ３の制御に基づいて駆動電流により後述するスピンドルモータ１０を駆動するスピンドルモータ駆動回路９と、このスピンドルモータ駆動回路９によって駆動されるスピンドルモータ１０と、このスピンドルモータ１０によって矢印方向に高速回転されると共に磁気的にデータを記録する円盤状の記録媒体である磁気ディスク１１と、ライトアンプおよびリードアンプからなり磁気ヘッド８の近傍に配設されているヘッドＩＣ（Ｉｎｔｅｇｒａｔｅｄ  Ｃｉｒｃｕｉｔ）１２と、リードチャネル１３と、サーボ復調部１４と、ＲＯＭ１５と、データアクセス領域制限手段１６とを備えている。
【００１６】
図２は、円板状記憶媒体としての磁気ディスク１１を示す平面図である。
磁気ディスク１１は、外周から内周に向かって同心円状に複数ここでは三分割したデータ記録領域１１ａ，１１ｂ，１１ｃを有しており、データ記録領域１１ａは先頭アドレス１８ａおよび最終アドレス１８ｂを有し、データ記録領域１１ｂは先頭アドレス１９ａおよび最終アドレス１９ｂを有し、またデータ記録領域１１ｃは先頭アドレス２０ａおよび最終アドレス２０ｂをそれぞれ有している。
【００１７】
図１に示したホストコントローラ１は、各種コマンドやライトデータをインタフェース制御回路２へ送信する機能や、後述する磁気ディスク１１からリードされたリードデータをインタフェース制御回路２より受信する機能を備えている。インタフェース制御回路２は、図示しないＩＤＥ（Ｉｎｔｅｇｒａｔｅｄ  Ｄｒｉｖｅ  Ｅｌｅｃｔｒｏｎｉｃｓ）バスを介してホストコントローラ１に接続されており、リードコマンド、ライトコマンド等の各種コマンド、ライトデータやリードデータ等の送受信を行う。
【００１８】
磁気ヘッド８は、高速回転している磁気ディスク１１との間に生じる浮力により数１０ｎｍ浮上した状態で、磁気ディスク１１に対するデータのリード／ライトを行う。具体的には、磁気ヘッド８は、ライト時にコイルに供給される記録電流により発生する磁界で磁気ディスク１１に対してデータをライトする一方、磁気ディスク１１に記録されているデータを磁気的に再生電圧（リード信号）として検知する。ヘッドＩＣ１２のライトアンプは、磁気ヘッド８へ供給すべき記録電流の極性を、ホストコントローラ２０１から供給されるライトデータに従って切り替える機能を備えている。一方、ヘッドＩＣ１２のリードアンプは、磁気ヘッド８により検知された再生電圧を増幅し、リードチャネル１３へ供給する。
【００１９】
リードチャネル１３は、ライトデータを磁気ディスク１１にライトするための変調回路や、パラレルのライトデータをシリアルデータに変換するパラレル／シリアル変換回路や、リードデータを磁気ディスク１１からリードするための復調回路等を備えている。またリードチャネル１３は、シリアルのリードデータをパラレルデータに変換するシリアル／パラレル変換回路や、水晶振動子を用いた発振回路の周波数を逓倍することにより、タイミング信号を発生するシンセサイザ回路等を備えている。サーボ復調部１４は、磁気ディスク１１に記録された位置決め用のサーボパターンをピークホールドや積分等により復調する。
【００２０】
ＭＰＵ３は、サーボ制御や、磁気ディスク１１に対するデータのリード／ライトに関するリード／ライト制御等を実行する。サーボ制御において、ＭＰＵ３は、サーボ復調部１４により復調されたサーボパターンを認識して、スピンドルモータ駆動回路９およびボイスコイルモータ駆動回路６の各駆動電流を制御することにより、磁気ディスク１１における磁気ヘッド８の位置決めを行う。ＲＡＭ５は、ホストコントローラ１から供給されたライトデータや、磁気ディスク１１からリードされたリードデータ等を一時的に記憶するものである。ＲＯＭ１５は、ＭＰＵ３で実行される制御プログラムおよび図２に示すように磁気ディスク１１上の同心円状の領域を複数に分割した際のデータ記録領域１１ａ〜１１ｃの先頭アドレス１８ａ〜２０ａおよび最終アドレス１８ｂ〜２０ｂの情報が予め格納されている。
【００２１】
またデータアクセス制限手段１６は、回路内にデータアクセス可能領域を設定するためのレジスタを有し、そのレジスタはデータアクセス可能領域の先頭アドレスを設定する先頭アドレスレジスタと、データアクセス可能領域の最終アドレスを設定する最終アドレスレジスタであり、これらレジスタを設定することによって設定された領域以外はホストからアクセスできないようにしている。
【００２２】
次に、上述した磁気ディスク装置の動作および補助記憶装置アクセス方法を図３に示したフローチャートを用いて説明する。
先ず、補助記憶装置内部の制御プログラムのルーチンで、磁気ディスク１１上の同心円状の領域をここでは三分割したデータ記録領域１１ａ〜１１ｃに分割する。その後、ホストコントローラ１は、ステップＳ１で磁気ディスク１１上の同心円状の領域をここでは三分割したデータ記録領域１１ａ〜１１ｃのうち最初（ｎ＝１）のデータ記録領域１１ａにおける先頭アドレス１８ａおよび最終アドレス１８ｂを予め格納しておいたＲＯＭ１５から読み出す。ステップＳ２で、その先頭アドレス１８ａおよび最終アドレス１８ｂの値をデータアクセス制限手段１６内の先頭アドレスレジスタおよび最終アドレスレジスタに設定する。続いて、ステップＳ３で、タイマ手段４に対し、ＭＰＵ３を経由して動作開始命令を発行する。
【００２３】
その後、ステップＳ４でタイマ手段４から動作開始から任意の設定時間が経過したことを示す設定時間経過信号を受け取ったか否かを判断し、この信号を受け取っていない場合、ホストコントローラ１はステップＳ５で通常のリード／ライトアクセス可能状態を保持する。しかし、ステップＳ４の判定で、タイマ手段４から設定時間が経過したことを示す設定時間経過信号を受け取った場合、ホストコントローラ１はステップＳ６で、データアクセス制限手段１６内の先頭アドレスレジスタおよび最終アドレスレジスタをクリアし、他の領域もアクセス可能な状態にする。
【００２４】
続いて、ステップＳ７で現在のデータ記録領域１１ａがｎ＝Ｎになったか、すなわち三つのデータ記録領域１１ａ〜１１ｃの最後の三番目のデータ記録領域１１ｃになっているかどうかを判断する。ここでは、まだｎ＝１の一番目のデータ記録領域１１ａであるから、ステップＳ８で複写手段によってこのデータ記録領域１１ａのデータを次のｎ＋１のデータ記録領域１１ｂへ複写する。この複写手段は、磁気ヘッド８を介して行なわれる通常の複写機能から構成され、データ記録領域１１ａのデータを読み出してデータ記録領域１１ｂに書き込んで行う。
【００２５】
その後、ステップＳ１０で複写したデータ記録領域１１ｂの先頭アドレス１９ａおよび最終アドレス１９ｂを予め格納しておいたＲＯＭ１５から読み出す。その後は、ステップＳ２に戻り、再びその先頭アドレス１９ａおよび最終アドレス１９ｂの値をデータアクセス制限手段１６内の先頭アドレスレジスタおよび最終アドレスレジスタに設定し、これらレジスタを設定することによって設定された領域以外はホストからアクセスできないようにし、上述した処理を繰り返し行う。
【００２６】
一方、ステップＳ７の判定で、現在、データアクセス制限手段１６内の先頭アドレスレジスタおよび最終アドレスレジスタに設定されているデータ記録領域が三番目のデータ記録領域１１ｃになっている場合は、ステップＳ９に進み、三番目のデータ記録領域１１ｃのデータを最初のデータ記録領域１１ａへ複写し、ステップＳ１０以降同様の処理を繰り返す。
【００２７】
このような補助記憶装置、また上述した補助記憶装置アクセス方法によれば、複数のデータ記録領域１１ａ〜１１ｃの一つにデータを記録すると共に、アクセス可能領域として設定し、タイマ手段４によって監視した設定時間経過後に、アクセス可能領域として設定したデータ記録領域のデータを他のデータ記録領域に複写し、この複写した他のデータ記録領域をアクセス可能領域として設定するデータアクセス制限手段１６を設けたため、上位装置によって磁気ディスク１１上の特定のアドレス上に存在するデータに対してアクセスする命令が連続して発行された場合でも、タイマ手段４によって設定した設定時間が経過すると、複写手段によってアクセス可能領域として設定したデータ記録領域のデータを他のデータ記録領域に複写すると共に、データアクセス制限手段１６によってこの複写した他のデータ記録領域をアクセス可能領域として設定するので、定点浮上状態を回避することができ、磁気ディスク装置などの補助記憶装置の寿命延ばして信頼性を向上させることができる。
【００２８】
本発明の他の実施の形態における補助記憶装置アクセス方法および補助記憶装置として、上述した実施の形態では初期状態において一つのデータ記録領域１１ａをアクセス可能な領域として設定しているが、初期状態において二つのデータ記録領域１１ａ，１１ｂをアクセス可能な領域として設定し、タイマ手段４によって所定の一定時間が経過したことを検出すると、データアクセス制限手段１６によってアクセス可能領域として設定したデータ記録領域１１ａ，１１ｂのデータを他のデータ記録領域１１ｂ，１１ｃに複写すると共に、この複写した他のデータ記録領域１１ｂ，１１ｃをアクセス可能領域として設定することもできる。このとき磁気ディスク１１のデータ記録領域が四分割されているなら、データ記録領域１１ａ，１１ｂのデータを他のデータ記録領域１１ｃ，１１ｄに複写すると共に、この複写した他のデータ記録領域１１ｃ，１１ｄをアクセス可能領域として設定することもできる。
【００２９】
また、複数のデータ記録領域１１ａ〜１１ｃの少なくとも二つに同一のデータを各々記録すると共に、この二つのデータ記録領域１１ａ，１１ｂを各々アクセス可能領域として設定した場合、タイマ手段４によって設定時間が経過したことを検出すると、データアクセス制限手段１６によって二つのデータ記録領域１１ａ，１１ｂのうちの一つのデータを他のデータ記録領域１１ｃに複写し、この複写先のデータ記録領域１１ｃと、上述した二つのデータ記録領域１１ａ，１１ｂのうちの一つをアクセス可能領域として設定することもできる。
【００３０】
さらに、本発明の他の実施の形態における補助記憶装置アクセス方および法補助記憶装置として、上述した実施の形態ではアクセス可能領域として例えばデータ記録領域１１ａを設定していた場合、タイマ手段４によって設定時間が経過したことを検出すると、複写手段によってアクセス可能領域として設定したデータ記録領域１１ａのデータを他のデータ記録領域１１ｂに複写すると共に、データアクセス制限手段１６によってこの複写した他のデータ記録領域１１ｂをアクセス可能領域として設定したが、複写手段によってアクセス可能領域として設定したデータ記録領域１１ａのデータを他のデータ記録領域１１ｂに複写するタイミングと、データアクセス制限手段１６によってこの複写した他のデータ記録領域１１ｂをアクセス可能領域として設定するタイミングとをそれぞれ別個に設定するようにし、例えば複写をアクセス可能領域の変更設定に先行して行っても同様の効果を得ることができる。
【産業上の利用可能性】
【００３１】
本発明による補助記憶装置アクセス方法および補助記憶装置は、上述した図１および図２に示したものに限らず他の補助記憶装置にも適用することができる。
【図面の簡単な説明】
【００３２】
【図１】本発明の一実施の形態による補助記憶装置を示すブロック構成図である。
【図２】図１に示した補助記憶装置の磁気ディスクを示す平面図である。
【図３】本発明の一実施の形態による補助記憶装置アクセス方法を示すフローチャートである。
【図４】従来の補助記憶装置における定点浮上状態を示す要部拡大図である。
【符号の説明】
【００３３】
１  ホストコントローラ
２  インタフェース制御回路
３  ＭＰＵ
４  タイマ手段
５  ＲＡＭ
８  磁気ヘッド
１１  磁気ディスク
１１ａ〜１１ｃ  データ記録領域
１２  ヘッドＩＣ
１５  ＲＯＭ
１６  データアクセス制限手段
１７  磁気ディスク装置
１８ａ〜２０ａ  先頭アドレス
１８ｂ〜２０ｂ  最終アドレス
【図１】
2006085818.tif 000003
【図２】
2006085818.tif 000004
【図３】
2006085818.tif 000005
【図４】
2006085818.tif 000006